(57)【要約】      （修正有）【課題】葬儀等の厳粛で清浄な式典行事において、故人や宗祖等に対して参列者が感謝や寄せる想いを表示表現できる、それぞれの場にふさわしい手段の提供。【解決手段】本媒体は、可燃性材質で構成し、自立することができ、参列者がメッセージ２を記入して式典の会場内に備えることを特徴とする。【選択図】図１
2011083566.tif 000002
【特許請求の範囲】
【請求項１】
葬儀等の式典で、参列者がメッセージを記入し、式典の会場内に供えることを特徴とした自立する可燃性材質の媒体。
【請求項２】
式典の会場内に供えた後、柩に入れて焼却することを特徴とする使用方法。
【発明の詳細な説明】
【技術分野】
【０００１】ここでいう媒体とは、カード型、立方体（円柱形、円錐形を含む）の可燃性の材質で、箱型及び折りたたみによって自立するものである。以下本媒体と呼ぶ。
通夜・葬儀、法要等の式典及び法事，墓参（以下葬儀等と呼ぶ）の場面で、故人や宗祖に対して参列者，参拝者の誰でもがメッセージを発するための方策と媒体の考案である。
【背景技術】
【０００２】葬儀等の厳粛で清浄な場において、これまで故人や宗祖等に対して感謝や寄せる想いを参列者，参拝者の誰でもが表現・表示できる、その場に相応しい手段が存在しなかった。もしくは特定の用途のものが存在したが近年排除される傾向が強まっている。【０００３】様々な角度から調査をしたが、このような目的での使用に供する道具類は存在しないことが判明した。あえて類似物件として存在するとすれば、（例えば、特許文献１及び２、３を参照）。
【特許文献１】特許公開２００３−１７０６８３号公報
【特許文献２】特許公開２０００−７５７８９号公報
【特許文献３】特許公開２０００−６２３５８号公報また、仏前に供える照明用仏具（例えば立脚式の提灯）にも種々のものがあった（例えば、特許文献４及び５を参照）。
【特許文献４】特開２００４−１３５８７１号公報
【特許文献５】特開平８−２９４４４４号公報中国地方（特に広島県）では、墓前において竹材を支柱として用い、その一端を竹割りに複数分割して灯籠用の面枠を形成し、該面枠に胴紙を貼着して「ぼんぼり」（火袋に相当）を造形した立設型の盆灯籠が広く認知され使用されている。なお、「ぼんぼり」の形状は上開きの逆さ六角錐形とされるのが一般的である。しかしながら、この種の墓前灯籠については、近年、消防法や廃棄物を過剰排出するという環境上の観点から、その使用形態や処理のありかたが問題となってきた。寺門や墓苑では使用上の制約を課すところも多い。
【発明が解決しようとする課題】
【０００４】葬儀等において誰でもが故人や宗祖等に対してメッセージ（感謝，親愛の情，尊敬の念などの想い）を発して、臨場の目的，意義を高めることができ、関係各位にもよく受け入れられる方策の考案。
【課題を解決するための手段】
【０００５】葬儀等におけるメッセージの発し方を次のように考案した。まずメッセージを書き記すための媒体を準備した。本媒体は型抜き，彩色デザインを施して葬儀等の場に相応しい体裁を備え、立体や平面体の表面に、いずれもメッセージを書き記すスペースを適度に構えている。
【０００６】本媒体の表面の指定場所に、各人がメッセージ、名前を書いた後、祭壇や飾り台に供える。
【０００７】葬儀の場合では、葬儀終了後に柩に納めることが基本である。
【０００８】墓参の場合、本媒体は、一部の宗派で伝統的な供え物として使用されている、上記の盆灯籠や塔姿の役割をも果たすことができる。その際、盆灯籠のように飾ることを目的とした視点からは、彩色・デザインを清楚なうちにもより艶やかにし、視覚的にインパクトを強めたタイプも考案した。
【発明の効果】
【０００９】葬儀等において、参列者の誰もがメッセージを発することが可能になることにより、臨場の目的や意義が高まる。あわせて、従来の式典がややもすると企画化されたセレモニーに陥っていた現状に変化をもたらし、希薄化してきたといわれる、人としての情愛を再認識し、心の涵養につながっていくものと考える。
【図面の簡単な説明】
【００１０】
【図１】本発明の箱型基本形の斜視図
【図２】本発明の箱型基本形の正面図
【図３】本発明の箱型基本形の展開図
【図４】本発明の箱型基本形の側面図
【図５】本発明の箱型基本形の背面斜視図
【図６】本発明の簡易自立形の正面図
【図７】本発明の簡易自立形である蓮の花形の正面図と斜視図
【図８】本発明の簡易自立形である四角・多角形の斜視図
【図９】本発明の簡易自立形である円柱形の正面図
【図１０】本発明の簡易自立形である円形の正面図
【図１１】本発明の簡易自立形である多角形の正面図
【参考図】
本発明の箱型基本形を飾り台に設置した場合の参考図
【符号の説明】１  メッセージの記入範囲を示す飾り枠
２  メッセージ
３  参列者氏名記入欄
４  簡易自立形の底面
５  箱型基本形の底面箱部分
【発明を実施するための形態】
【００１１】本発明の実施の形態について説明する。葬儀等において、記帳の際に参列者がこの媒体を受け取る。１の飾り枠で囲んだ２のスペースに故人への寄せる想いをメッセージとして任意で記入し、氏名を３の位置に記入する。焼香の際に供花の代わりに媒体を供える。メモリアルコーナーを設置している場合には、開式前からそこに供えることも可能である。いずれも飾り台に供える際には底に両面テープを貼り、倒れないように仮止めをする。
葬儀の場合、柩の中に入れるか、あるいは取りまとめて資源として再利用することで完結する。
【００１２】媒体の形態としては、［図１］［図２］［図３］［図４］［図５］の箱型自立タイプを基本形とし、［図６］のように簡易自立タイプ、また［図７］〜［図１１］のバリエーションも取り揃えたほか、参列者が自分のメッセージを故人の家族等に伝えたい場合においては、複写タイプを使用することもできる。
【００１３】本発明のサイズと主な仕様について説明する。［図１］［図２］［図３］［図４］［図５］の箱型自立タイプの高さは２００ｍｍ〜３００ｍｍ、最大幅１００ｍｍ前後、奥行７０ｍｍ程度を基準としている。側面６は後方に折ることで底面の箱を支えると共に、媒体の角度を調整し、自立させた時の全体デザインの統一を図っている。底面の箱となる５のサイズは、幅５０ｍｍ、奥行７０ｍｍ、高さ２５ｍｍを基準としている。基本は淡い色調とするが、安芸門徒における盆灯篭としての目的に使用する際などには、明度、彩度を上げて遠目でも目立つような配色にするなど、用途にあわせて色調もデザインした。
［図６］は箱型自立タイプを簡易化したもので、４の部分を折りたたむことで底面とし自立させるものである。箱型自立タイプと同サイズとし、高さは２００ｍｍ〜３００ｍｍ、最大幅１００ｍｍ前後、奥行７０ｍｍを基準としている。
［図７］は蓮の花を意匠化した形態で、葉の部分を折り曲げて底面として自立させる。折りたたんだ状態での葉書サイズ１００ｍｍ〜１５０ｍｍ程度を基準としている。蓮の花の面がメッセージ記入欄となるため、文字が判別できるよう淡い色調を基本とする。
［図８］は立方体の灯篭型で、１辺が１００ｍｍ程度、高さ２００ｍｍ〜３００ｍｍを基準とする。
［図９］は円柱の灯篭型で、１辺が１００ｍｍ程度、高さ２００ｍｍ〜３００ｍｍを基準とする。
［図１０］は円形及び楕円形の形態で、折りたたんだ状態での葉書サイズ１００ｍｍ〜１５０ｍｍ程度を基準としている。
［図１１］は多角形の形態で、折りたたんだ状態での葉書サイズ１００ｍｍ〜１５０ｍｍ程度を基準としている。
［図１］から［図１１］まで、いずれも飾り台に供える際には底に両面テープを貼り、倒れないように仮止めをする。
【００１４】本発明の印刷インキについて説明する。インキ量は、再生紙原料として処理をする上で、専門家による再生上の適正判定を受けた範囲内での使用量としている。
【００１５】本発明のメッセージ欄について説明する。葬儀等の場に適した意匠として、白い百合の花を模した飾り罫を意匠化し、その飾り罫の中にメッセージを記入するものとする。
【００１６】本発明の媒体を葬儀等の式典で供えるために、［参考図］のように折りたたみ式で階段仕様の専用飾り台を考案した。葬儀等における参列者の人数により、階段仕様の段数が調整可能である。収納の際にはコンパクトに折りたたむことができる。
【図１】
2011083566.tif 000003
【図２】
2011083566.tif 000004
【図３】
2011083566.tif 000005
【図４】
2011083566.tif 000006
【図５】
2011083566.tif 000007
【図６】
2011083566.tif 000008
【図７】
2011083566.tif 000009
【図８】
2011083566.tif 000010
【図９】
2011083566.tif 000011
【図１０】
2011083566.tif 000012
【図１１】
2011083566.tif 000013